【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
（Ａ）共通平面内で互いに平行に、又はほぼ平行に配列された第1の複数の非平面状ソーラーユニットを備える第1の太陽電池組立品であって、
前記第1の複数の非平面状ソーラーユニットにおける各非平面状ソーラーユニットは、設置面から少なくとも分離距離だけ離れており、
前記第1の複数の非平面状ソーラーユニットにおける第1及び第2の非平面状ソーラーユニットは、スペーサー距離だけ互いから隔てられ、これにより、前記第1及び第2の非平面状ソーラーユニットの間に直射日光を通し前記設置面に当てることができ、前記第1及び第2の非平面状ソーラーユニットが、前記遮断面から反射される光を吸収するように構成されている、前記第1の太陽電池組立品と、
（Ｂ）前記第1の複数の非平面状太陽電池ユニットを、前記設置面から少なくとも前記分離距離だけ分離する、第1の支持手段と、
を含む、設置面より上に設置するための太陽電池配列であって、
前記分離距離が前記スペーサー距離より大きく、かつ
前記スペーサー距離が、前記第1の複数の非平面状ソーラーユニットの機能太陽電池の幅より大きく、
空気が、前記第1の複数の非平面状ソーラーユニットにおける非平面状ソーラーユニットの上を、前記第1の複数の非平面状ソーラーユニットにおける非平面状ソーラーユニットの間の空間を、ならびに前記第1の複数の非平面状ソーラーユニットと前記設置面との間の空間を流れるように、前記第1の太陽電池組立品及び前記第1の支持手段が構成されている、前記太陽電池配列。
【請求項２】
共通平面内で互いに平行に、又はほぼ平行に配列された第2の複数の非平面状ソーラーユニットを備える第2の太陽電池組立品であって、
前記第2の複数の非平面状ソーラーユニットにおける第3及び第4の非平面状ソーラーユニットが、前記スペーサー距離だけ互いから隔てられ、これにより、前記第3及び第4の非平面状ソーラーユニットの間に直射日光を通し前記設置面に当てることができ、前記第3及び第4の非平面状ソーラーユニットが前記設置面から反射されるアルベド光を吸収するよう構成されている、前記第2の太陽電池組立品と、
前記第2の複数の非平面状ソーラーユニットを、前記設置面から少なくとも前記分離距離だけ分離する、第2の支持手段と、
をさらに含み、
前記第1の太陽電池組立品及び前記第2の太陽電池組立品が、通路距離だけ互いから隔てられており、かつ
空気が前記第1及び第2の太陽電池組立品の間の空間を流れるように、前記第1及び第2の太陽電池組立品が構成されている、請求項1記載の太陽電池配列。
【請求項３】
前記分離距離が、前記通路距離よりも大きい、請求項2記載の太陽電池配列。
【請求項４】
前記第1の複数の非平面状ソーラーユニットが、20個以上の非平面状ソーラーユニットを備える、請求項1記載の太陽電池配列。
【請求項５】
前記第1の複数の非平面状ソーラーユニットにおける非平面状ソーラーユニットの断面が円周状であり、その外径が1mmから1000mmまでである、請求項1記載の太陽電池配列。
【請求項６】
前記第1の複数の非平面状ソーラーユニットにおける非平面状ソーラーユニットの断面が円周状であり、その外径が14 mmから17 mmまでである、請求項1記載の太陽電池配列。
【請求項７】
前記第1の複数の非平面状ソーラーユニットにおける非平面状ソーラーユニットの断面が円周状であり、その外径が10センチメートル以上である、請求項1記載の太陽電池配列。
【請求項８】
前記スペーサー距離が、0.1センチメートル以上である、請求項1記載の太陽電池配列。
【請求項９】
前記スペーサー距離が、1センチメートル以上である、請求項1記載の太陽電池配列。
【請求項１０】
前記スペーサー距離が、5センチメートル以上である、請求項1記載の太陽電池配列。
【請求項１１】
前記スペーサー距離が、10センチメートル未満である、請求項1記載の太陽電池配列。
【請求項１２】
前記スペーサー距離が、前記第1の複数の非平面状ソーラーユニットにおける前記機能太陽電池の直径の2倍に少なくとも等しいか、又は大きい、請求項1記載の太陽電池配列。
【請求項１３】
前記第1の複数の非平面状ソーラーユニットにおける前記第1及び第2の非平面状ソーラーユニットの間の前記スペーサー距離が、前記第1の複数の非平面状ソーラーユニットにおける第3の非平面状ソーラーユニットと第4の非平面状ソーラーユニットとの間のスペーサー距離と異なる、請求項1記載の太陽電池配列。
【請求項１４】
前記第1の複数の非平面状ソーラーユニットにおける前記第1及び第2の非平面状ソーラーユニットの間の前記スペーサー距離が、前記第1の複数の非平面状ソーラーユニットにおける第3の非平面状ソーラーユニットと第4の非平面状ソーラーユニットとの間のスペーサー距離と同じである、請求項1記載の太陽電池配列。
【請求項１５】
前記分離距離が、25センチメートル以上である、請求項1記載の太陽電池配列。
【請求項１６】
前記分離距離が、2メートル以上である、請求項1記載の太陽電池配列。
【請求項１７】
前記第1の複数の非平面状ソーラーユニットにおける非平面状ソーラーユニットが、
少なくとも一部が硬質且つ非平面状である基板と、
前記基板に円周方向に配置された背面電極と、
前記背面電極に円周方向に配置された半導体接合層と、
前記半導体接合部に円周方向に配置された透明導電層とを備える、請求項1記載の太陽電池配列。
【請求項１８】
前記非平面状ソーラーユニットがさらに、前記非平面状ソーラーユニット上に円周方向にシールされた透明非平面状ケースを備える、請求項17記載の太陽電池配列。
【請求項１９】
前記透明非平面状ケースが、プラスチック又はガラス製である、請求項18記載の太陽電池配列。
【請求項２０】
前記基板が、プラスチック、ガラス、金属、又は金属合金を含む、請求項17記載の太陽電池配列。
【請求項２１】
前記基板が、管形状であり、流体が、前記基板を通過する、請求項17記載の太陽電池配列。
【請求項２２】
前記半導体接合部が、吸収体層及び接合パートナー層を備え、前記接合パートナー層が、前記吸収体層に円周方向に配置される、請求項17記載の太陽電池配列。
【請求項２３】
前記吸収体層が、銅-インジウム-ガリウム-ジセレニドであり、前記接合パートナー層が、In2Se3、In2S3、ZnS、ZnSe、CdInS、CdZnS、ZnIn2Se4、Zn1-xMgxO、CdS、SnO2、ZnO、ZrO2、又はドープZnOである、請求項22記載の太陽電池配列。
【請求項２４】
前記基板が、20GPa以上のヤング率を有する、請求項17記載の太陽電池配列。
【請求項２５】
前記基板が、線形材料で構成される、請求項17記載の太陽電池配列。
【請求項２６】
前記基板のすべて又は一部が、硬質管又は硬質中実棒である、請求項17記載の太陽電池配列。
【請求項２７】
前記複数のソーラーユニットにおける前記第1及び第2の非平面状ソーラーユニットが、直列電気接続している、請求項1記載の太陽電池配列。
【請求項２８】
前記第1の複数のソーラーユニットにおける前記第1及び第2の非平面状ソーラーユニットが、並列電気接続している、請求項1記載の太陽電池配列。
【請求項２９】
前記第1の複数のソーラーユニットにおける前記第1及び第2の非平面状ソーラーユニットが、互いに電気的に絶縁されている、請求項1記載の太陽電池配列。
【請求項３０】
前記第1の複数のソーラーユニットにおける非平面状ソーラーユニットが、
(A)第1の端部と第2の端部とを有する非平面状基板と、
(B)前記基板上に直線配列された複数の太陽電池であって、第1の太陽電池及び第2の太陽電池を備え、前記複数の太陽電池内における各太陽電池が、
前記基板に円周方向に配置された背面電極、
前記背面電極に円周方向に配置された半導体接合部、及び
前記半導体接合部に円周方向に配置された透明導電層を備える、前記複数の太陽電池とを具備し、
前記複数の太陽電池における前記第1の太陽電池の前記透明導電層が、前記複数の太陽電池における前記第2の太陽電池の背面電極と直列電気接続する、請求項1記載の太陽電池配列。
【請求項３１】
前記複数の太陽電池が、
前記非平面状基板の前記第1の端部にある第1の末端太陽電池と、
前記非平面状基板の前記第2の端部にある第2の末端太陽電池と、
前記第1の末端太陽電池と前記第2の太陽電池との間にある少なくとも1つの中間太陽電池とを備え、前記少なくとも1つの中間太陽電池における各中間太陽電池の前記透明導電層が、前記複数の太陽電池における隣接する太陽電池の前記背面電極と直列電気接続している、請求項30記載の太陽電池配列。
【請求項３２】
前記隣接する太陽電池が、前記第1の末端太陽電池又は前記第2の末端太陽電池である、請求項31記載の太陽電池配列。
【請求項３３】
前記隣接する太陽電池が、別の中間太陽電池である、請求項31記載の太陽電池配列。
【請求項３４】
前記複数の太陽電池が、3個以上の太陽電池を備える、請求項30記載の太陽電池配列。
【請求項３５】
さらに、前記複数の太陽電池における前記太陽電池のすべて又は一部の前記透明導電層上に円周方向にシールされている透明非平面状ケースを備える、請求項30記載の太陽電池配列。
【請求項３６】
前記透明非平面状ケースが、プラスチック又はガラス製である、請求項35記載の太陽電池配列。
【請求項３７】
前記非平面状基板が、プラスチック、金属、又はガラスを含む、請求項30記載の太陽電池配列。
【請求項３８】
共通平面内で互いに平行に、又はほぼ平行に配列された複数の非平面状ソーラーユニットを備える太陽電池組立品と、
底部及び複数の透明サイドパネルを備え、前記太陽電池組立品を封じ込めるケースと、
を含む、太陽電池配列であって、
前記第1の複数の非平面状ソーラーユニットにおける第1及び第2の非平面状ソーラーユニットは、スペーサー距離だけ互いから隔てられ、これにより、前記第1及び第2の非平面状ソーラーユニットの間に直射日光を通し前記ケースの前記底部に当てることができ、
前記複数の非平面状ソーラーユニットにおける各非平面状ソーラーユニットは、前記ケースの前記底部から少なくとも分離距離だけ離れており、
空気が、前記複数の非平面状ソーラーユニットにおける非平面状ソーラーユニットの上を、前記複数の非平面状ソーラーユニットにおける非平面状ソーラーユニットの間の空間を、ならびに前記複数の非平面状ソーラーユニットにおける非平面状ソーラーユニットと前記ケースの底部との間の空間を流れるように、前記太陽電池組立品が構成されている、前記太陽電池配列。
【請求項３９】
前記分離距離が、前記スペーサー距離よりも大きい、請求項38記載の太陽電池配列。
【請求項４０】
前記ケースがさらに、前記ケースをシールし、かつ直達日射から前記複数の非平面状ソーラーユニットを遮蔽する最上層を備える、請求項38記載の太陽電池配列。
【請求項４１】
前記複数の透明サイドパネルが、透明プラスチック又はガラスを含む、請求項38記載の太陽電池配列。
【請求項４２】
前記複数の非平面状ソーラーユニットが、20個以上の非平面状ソーラーユニットを備える、請求項38記載の太陽電池配列。
【請求項４３】
前記スペーサー距離が、10センチメートル未満である、請求項38記載の太陽電池配列。
【請求項４４】
前記スペーサー距離が、前記第1の複数の非平面状ソーラーユニットにおける非平面状ソーラーユニットの幅に少なくとも等しいか、又は大きい、請求項38記載の太陽電池配列。
【請求項４５】
前記複数の非平面状ソーラーユニットにおける第1のソーラーユニットと第2のソーラーユニットとの間の前記スペーサー距離が、前記複数の非平面状ソーラーユニットにおける第3の非平面状ソーラーユニットと第4の非平面状ソーラーユニットとの間のスペーサー距離と異なる、請求項38記載の太陽電池配列。
【請求項４６】
前記複数の非平面状ソーラーユニットにおける第1の非平面状ソーラーユニットと第2の非平面状ソーラーユニットとの間のスペーサー距離が、前記複数の非平面状ソーラーユニットにおける第3の非平面状ソーラーユニットと第4の非平面状ソーラーユニットとの間のスペーサー距離と異なる、請求項38記載の太陽電池配列。
【請求項４７】
前記底部が、アルベド面と重ね合わされる、請求項38記載の太陽電池配列。
【請求項４８】
前記分離距離が、25センチメートル以上である、請求項38記載の太陽電池配列。
【請求項４９】
前記分離距離が、2メートル以上である、請求項38記載の太陽電池配列。
【請求項５０】
前記第1の複数の非平面状ソーラーユニットにおける非平面状ソーラーユニットが、
少なくとも一部が硬質且つ非平面状である基板と、
前記基板に円周方向に配置された背面電極と、
前記背面電極に円周方向に配置された半導体接合層と、
前記半導体接合部に円周方向に配置された透明導電層とを備える、請求項38記載の太陽電池配列。
【請求項５１】
前記非平面状ソーラーユニットがさらに、前記非平面状ソーラーユニット上に円周方向にシールされた透明非平面状ケースを備える、請求項50記載の太陽電池配列。
【請求項５２】
前記透明非平面状ケースが、プラスチック又はガラス製である、請求項51記載の太陽電池配列。
【請求項５３】
前記半導体接合部が、吸収体層及び接合パートナー層を備え、前記接合パートナー層が、前記吸収体層に円周方向に配置される、請求項50記載の太陽電池配列。
【請求項５４】
前記吸収体層が、銅-インジウム-ガリウム-ジセレニドであり、前記接合パートナー層が、In2Se3、In2S3、ZnS、ZnSe、CdInS、CdZnS、ZnIn2Se4、Zn1-xMgxO、CdS、SnO2、ZnO、ZrO2、又はドープZnOである、請求項53記載の太陽電池配列。
【請求項５５】
前記基板が、20GPa以上のヤング率を有する、請求項50記載の太陽電池ユニット。
【請求項５６】
前記基板が、線形材料で構成される、請求項50記載の太陽電池ユニット。
【請求項５７】
前記複数の非平面状ソーラーユニットにおける第1及び第2の非平面状ソーラーユニットが、直列電気接続している、請求項38記載の太陽電池配列。
【請求項５８】
前記複数の非平面状ソーラーユニットにおける第1及び第2の非平面状ソーラーユニットが、並列電気接続している、請求項38記載の太陽電池配列。
【請求項５９】
前記複数の非平面状ソーラーユニットにおける第1及び第2の非平面状ソーラーユニットが、互いに電気的に絶縁されている、請求項38記載の太陽電池配列。
【請求項６０】
前記分離距離が、前記スペーサー距離よりも小さい、請求項38記載の太陽電池配列。
【請求項６１】
前記複数のソーラーユニットにおける非平面状ソーラーユニットが、
(A)第1の端部と第2の端部とを有する非平面状基板と、
(B)前記基板上に直線配列された複数の太陽電池であって、第1の太陽電池及び第2の太陽電池を備え、前記複数の太陽電池内における各太陽電池が、
前記基板に円周方向に配置された背面電極、
前記背面電極に円周方向に配置された半導体接合層、及び
前記半導体接合部に円周方向に配置された透明導電層を備える、前記複数の太陽電池とを具備し、
前記複数の太陽電池における前記第1の太陽電池の前記透明導電層が、前記複数の太陽電池における前記第2の太陽電池の背面電極と直列電気接続する、請求項38記載の太陽電池配列。
【請求項６２】
前記複数の太陽電池が、
前記非平面状基板の前記第1の端部にある第1の末端太陽電池と、
前記非平面状基板の前記第2の端部にある第2の末端太陽電池と、
前記第1の末端太陽電池と前記第2の太陽電池との間にある少なくとも1つの中間太陽電池とを備え、前記少なくとも1つの中間太陽電池における各中間太陽電池の前記透明導電層が、前記複数の太陽電池における隣接する太陽電池の前記背面電極と直列電気接続している、請求項61記載の太陽電池配列。
【請求項６３】
前記隣接する太陽電池が、前記第1の末端太陽電池又は前記第2の末端太陽電池である、請求項62記載の太陽電池配列。
【請求項６４】
前記隣接する太陽電池が、別の中間太陽電池である、請求項62記載の太陽電池配列。
【請求項６５】
前記複数の太陽電池が、3個以上の太陽電池を備える、請求項61記載の太陽電池配列。
【請求項６６】
さらに、前記複数の太陽電池における前記太陽電池のすべて又は一部の前記透明導電層上に円周方向にシールされている透明非平面状ケースを備える、請求項61記載の太陽電池配列。
【請求項６７】
前記第1及び第2の非平面状ソーラーユニットが、設置面から反射されるアルベド光に応じて発電する、請求項1記載の太陽電池配列。
【請求項６８】
前記スペーサー距離が、前記機能太陽電池の幅の少なくとも2.5倍である、請求項1記載の太陽電池配列。
【請求項６９】
前記分離距離が少なくとも25cmである、請求項1記載の太陽電池配列。
【請求項７０】
前記機能太陽電池が、基板、前記基板に配置されたバック電気接点、前記バック電気接点に配置された半導体接合部、及び、前記機能太陽電池を完成させる前記半導体接合部に配置された対向電極を含む、請求項1記載の太陽電池配列。
【請求項７１】
少なくとも部分的に透明なケースが前記機能太陽電池を収納する、請求項70記載の太陽電池配列。
【請求項７２】
前記スペーサー距離が、機能太陽電池と前記少なくとも部分的に透明なケースとの前記組合せの幅より大きい、請求項71記載の太陽電池配列。
【請求項７３】
前記第1の複数の非平面状ソーラーユニットにおける非平面状ソーラーユニットが太陽電池である、請求項1記載の太陽電池配列。
【請求項７４】
前記第1の複数の非平面状ソーラーユニットにおける非平面状ソーラーユニットが、複数のモノリシック集積化された太陽電池である、請求項1記載の太陽電池配列。
【請求項７５】
（Ａ）共通平面内で互いに平行に、又はほぼ平行に配列された第1の複数の非平面状ソーラーユニットを備える第1の太陽電池組立品と、
（Ｂ）設置面であって、（i）前記第1の複数の非平面状ソーラーユニットにおける非平面状ソーラーユニットが、前記設置面から少なくとも分離距離だけ離れており、（ii）前記第1の複数の非平面状ソーラーユニットにおける第1及び第2の非平面状ソーラーユニットが、スペーサー距離だけ互いから隔てられ、これにより、前記第1及び第2の非平面状ソーラーユニットの間に直射日光を通し前記設置面に当てることができ、かつ（iii）前記第1及び第2の非平面状ソーラーユニットが、前記設置面から反射されるアルベド光を吸収するように構成されている、前記設置面と、
（Ｃ）前記第1の複数の非平面状太陽電池ユニットを、前記設置面から少なくとも前記分離距離だけ分離する、第1の支持手段と、
を含む、太陽電池配列であって、
前記分離距離が前記スペーサー距離より大きく、かつ前記スペーサー距離が、前記第1の複数の非平面状ソーラーユニットの機能太陽電池の直径幅より大きく、
空気が、前記第1の複数の非平面状太陽電池ユニットにおける非平面状太陽電池ユニットの上を、前記第1の複数の非平面状太陽電池ユニットにおける前記非平面状ソーラーユニットの間の空間を、ならびに前記非平面状ソーラーユニットと前記設置面との間の空間を流れるように、前記第1の太陽電池組立品及び前記第1の支持手段が構成されている、前記太陽電池配列。
【請求項７６】
前記設置面が白色塗料でコーティングされている、請求項75記載の太陽電池配列。
【請求項７７】
前記設置面が、90％を超えるアルベドを有するアルベド層でコーティングされている、請求項75記載の太陽電池配列。
【請求項７８】
前記機能太陽電池が、基板、前記基板にかぶせられたバック電気接点、前記バック電気接点にかぶせられた半導体接合部、及び、前記機能太陽電池を完成させる前記半導体接合部にかぶせられた対向電極を含む、請求項75記載の太陽電池配列。
【請求項７９】
少なくとも部分的に透明なケースが前記機能太陽電池を収納する、請求項78記載の太陽電池配列。
【請求項８０】
前記スペーサー距離が、機能太陽電池と前記少なくとも部分的に透明なケースとの前記組合せの幅より大きい、請求項79記載の太陽電池配列。
【請求項８１】
前記第1の複数の非平面状ソーラーユニットにおける非平面状ソーラーユニットが太陽電池である、請求項75記載の太陽電池配列。
【請求項８２】
前記第1の複数の非平面状ソーラーユニットにおける非平面状ソーラーユニットが、複数のモノリシック集積化された太陽電池である、請求項75記載の太陽電池配列。
【請求項８３】
複数の非平面状ソーラーユニットにおける第1の非平面状ソーラーユニット及び第2の非平面状ソーラーユニットを、該第1及び第2の非平面状ソーラーユニットがスペーサー距離だけ互いから隔てられるように、共通平面内で互いに平行に、又はほぼ平行に配列する工程であって、前記スペーサー距離が、前記複数の非平面状ソーラーユニットの機能ソーラーユニットの直径より大きい、前記配列する工程；
アルベド光を反射するように構成される設置面を特定する工程；
前記共通平面内の複数の非平面状ソーラーユニットを前記設置面から離して配置する工程であって、前記配置する工程が、前記共通平面内の前記複数の非平面状ソーラーユニットを前記設置面から少なくとも分離距離だけ離して配置することを含み、前記分離距離が前記スペーサー距離より大きく、かつ前記配置する工程が、
（i）前記第1及び第2の非平面状ソーラーユニットの間を直射日光が通って前記設置面に当たるようにし、かつ
（ii）前記設置面から反射されるアルベド光が、前記第1及び第2の非平面状ソーラーユニットによって吸収されるようにする、前記配置する工程
を含む、太陽電池配列の設置方法であって、
それにより、空気が、前記複数の非平面状ソーラーユニットにおける非平面状ソーラーユニットの上を、前記複数の非平面状ソーラーユニットにおける非平面状ユニットの間の空間を、ならびに前記複数の非平面状ソーラーユニットにおける非平面状ソーラーユニットと前記設置面との間の空間を流れるように、前記複数の非平面状ソーラーユニット及び前記設置面が構成される、前記太陽電池配列の設置方法。
【請求項８４】
前記配置する工程が、前記複数の非平面状太陽電池ユニットを前記設置面に取り付ける支持手段を設置することを含む、請求項83記載の方法。